(57)【特許請求の範囲】
【請求項１】
外部操作部材と、
前記外部操作部材に対する操作によって回転する回転部材と、
前記回転部材の回転方向に係合する係合部位、前記回転部材から離隔した位置に固定された固定部位、及び接点作用を果たす接点部位を有する一対の回動接点部材と、
前記接点部位が接触して接点作用を果たすように構成された被接点部をもつ回路基板とを有する時計において、
前記一対の回動接点部材は前記回転部材の回転方向に略並行姿勢で配設され、
前記一対の回動接点部材は前記回路基板の表裏両面側に配設されて前記回路基板の表裏にそれぞれ設けられた前記被接点部に対してそれぞれ接触されること特徴とする時計。
【請求項２】
平板状に形成された本体を備え、前記一対の回動接点部材は前記本体の厚さ方向に隣接するように配設されていることを特徴とする請求項１に記載の時計。
【請求項３】
前記回転部材の正回転により、一方の前記回動接点部材の前記接点部位がこれに対応する前記被接点部に対して接触し、他方の前記回動接点部材の前記接点部位がこれに対応する前記被接点部に対して離反し、前記回転部材の逆回転により、一方の前記回動接点部材の前記接点部位がこれに対応する前記被接点部に対して離反し、他方の前記回動接点部材の前記接点部位がこれに対応する前記被接点部に対して接触することを特徴とする請求項１又は請求項２に記載の時計。
【請求項４】
前記回転部材は、前記係合部位に係合する複数の歯を回転方向に備えた歯車構造を有することを特徴とする請求項１乃至請求項３のいずれか１項に記載の時計。
【発明の詳細な説明】
【０００１】
【発明の属する技術分野】
本発明は時計に係り、特に、腕時計、懐中時計、ダイバーズウォッチ、ダイビングコンピュータ等の携帯時計に適用する場合に好適な構造に関する。
【０００２】
【従来の技術】
一般に、腕時計、懐中時計、ダイバーズウォッチ、ダイビングコンピュータ等のような携帯時計においては、時計本体の側面部にリュウズが取り付けられている。このリュウズは軸状の巻真に対して螺合等により一体的に取り付けられ、リュウズと巻真からなる外部操作部材として回転可能且つ軸線方向に移動可能に構成されている。巻真はムーブメント内に挿入され、修正車などの歯車部品、或いは、カンヌキやオシドリなどのレバー部品等に係合し、これらの部品を介して指針、日車、曜車等を機械的に駆動するように構成されている。
【０００３】
ところで、近年の電子時計構造においては、ムーブメントの電子化に伴い、リュウズによって指針、日車、曜車等を機械的に駆動する場合よりも、押ボタン等によって電気的接点作用を果たす接点バネを駆動して内部回路の電気的接点を切り換える切換操作を行う要請が強くなってきている。しかしながら、切換動作を押ボタンによって行うと、多数の切換動作を可能にするために多数の押ボタンを設ける必要があるために自由なデザイン設計を妨げるとともに、一つの押ボタンで複数種類の操作を可能にすることは機構上困難であって、従来の時刻修正等のように連続して表示時刻を送る操作を行うには押ボタンを押し続けたり何度も操作したりする必要があるなど、操作性に欠けるという問題点もある。
【０００４】
このため、外部操作部材の数を増やすことなく多数の切換動作を可能にしたり、或いは、連続的な表示送り操作を容易に行えるようにするには、例えば、上記リュウズ及び巻真のように回転操作と軸線方向への押し込み操作や引き抜き操作が可能な外部操作部材を回転させたり、出没させたりすることによって、多数の切換操作を可能にしたり、表示を送る連続操作を可能にしたりした構造を有するものが知られている。例えば、巻真に対して回転方向に係脱可能に取り付けられた接点バネを取り付け、リュウズを回転操作すると、巻真が回転するとともに接点バネも回動し、やがて接点バネの先端が基板側接点（被接点部）に接触すると、接点バネと巻真との回転方向の係合が外れ、接点バネのそれ以上の回動が阻止されるように構成されたものがある。
【０００５】
【発明が解決しようとする課題】
しかしながら、回転操作と軸線方向への押し込み操作や引き抜き操作が可能な外部操作部材を用いる場合には、例えば、ムーブメント内部に挿入された巻真の周りに設けられた複数の接点駆動手段を備えた構造が複雑になり、特に、巻真の回転とともに回動する回動部材、例えば上記の巻真を中心として回動する接点バネを用いることにより、巻真の周囲に接点バネ等の回動部材の回動空間を確保する必要が生ずるので、ムーブメントの平面寸法や厚さが大きくなるとともに、製造コストも増大するという問題点がある。
【０００６】
そこで本発明は上記問題点を解決するものであり、その課題は、外部操作部材によって電気的接点作用を用いて切換操作を行う構造を有する時計において、ムーブメントの平面寸法や厚さを低減してコンパクトに構成できる時計構造を提供することにある。また、内部構造を簡略化して製造コストを低減できる時計構造を提供することにある。
【０００７】
【課題を解決するための手段】
上記課題を解決するために本発明の時計は、外部操作部材と、前記外部操作部材に対する操作によって回転する回転部材と、前記回転部材の回転方向に係合する係合部位、前記回転部材から離隔した位置に固定された固定部位、及び接点作用を果たす接点部位を有する一対の回動接点部材と、前記接点部位が接触して接点作用を果たすように構成された被接点部をもつ回路基板とを有する時計において、前記一対の回動接点部材は前記回転部材の回転方向に略並行姿勢で配設され、前記一対の回動接点部材は前記回路基板の表裏両面側に配設されて前記回路基板の表裏にそれぞれ設けられた前記被接点部に対してそれぞれ接触されること特徴とする。
【０００８】
この発明によれば、外部操作部材に対する操作がなされると、回転部材が回転し、これによって回転部材に対して回転方向に係合した回動接点部材の係合部位が回転方向に移動する。回動接点部材は、回転部材から離隔した位置に固定部位を有するので、固定部位を中心に係合部位側が回転部材の回転方向に変形し、この変形によって接点部位が被接点部との間において接触若しくは離反して接点作用を果たすこととなる。
また、一対の回動接点部材を回転部材の回転方向に略並行姿勢で配設し、これら一対の回動接点部材の係合部位が共に回転部材に対して回転方向に係合するように構成することが可能であり、このようにすると、一対の回動接点部材により２種の接点作用を生じさせることが可能になる。ここで、回動接点部材の数は２個を越える数、すなわち任意の複数個であってもよい。また、一対の回動接点部材が略並行姿勢で配設されていることにより、一対の回動接点部材及びそれらの周囲に確保する必要のある変形許容空間（回動接点部材が変形することを可能にするための空間）をコンパクトに構成することが可能になる。
さらに、一対の回動接点部材を基板の表裏両側に配設し、一対の回動接点部材が基板の表裏にそれぞれ設けられた被接点部に対してそれぞれ接触するように構成することにより、簡易な構造でも確実に動作可能な接点機構を構成することができる。この場合に、一対の回動接点部材を上記基板の表裏にそれぞれ固定することが好ましい。
【０００９】
なお、回転部材と係合部位とが回転部材が回転していないときにも係合していることが好ましい。この場合には、時計に外部から衝撃が加わったときでも、回動接点部材が変形したり振動したりしてチャタリングなどの誤動作を起こすことを防止できる。
【００１０】
この発明では、回動接点部材が回転部材から離隔した位置に固定部位を有し、回転部材に対して回転方向に係合する係合部位の移動により回動接点部材が変形し、この変形で接点部位が接点機能を果たすように構成されているので、回動接点部材の変形範囲は最大でも回転部材の回転半径範囲内に限定されるため、時計内にコンパクトに構成することができる。また、係合部位は回転部材との係合によってある程度変形すると自然に離反して係合状態が解消されるので、回転部材の連続回転により自動的に連続的に接点の開閉を繰り返し生じさせることが可能になるとともに、きわめて簡易な構造で接点作用を果たすことができる。したがって、複雑で高い精度を必要とする構造が不要になるので製造コストを低減することが可能になる。
【００１２】
本発明において、平板状に形成された本体を備え、前記一対の回動接点部材は前記本体の厚さ方向に隣接するように配設されていることが好ましい。平板状に形成された本体の厚さ方向に一対の回動接点部材が隣接するように配設されていることにより、一対の回動接点部材及びそれらの周囲に確保する必要のある変形許容空間の平面的範囲を縮小することができ、時計本体の小形化を図ることができる。
【００１３】
本発明において、前記回転部材の正回転により、一方の前記回動接点部材の前記接点部位がこれに対応する前記被接点部に対して接触し、他方の前記回動接点部材の前記接点部位がこれに対応する前記被接点部に対して離反し、前記回転部材の逆回転により、一方の前記回動接点部材の前記接点部位がこれに対応する前記被接点部に対して離反し、他方の前記回動接点部材の前記接点部位がこれに対応する前記被接点部に対して接触することが好ましい。この手段によれば、回転部材を正逆いずれかの方向へ回転させたときに一対の回動接点部材のうちの一方のみがそれに対応する被接点部に接触するように構成されているので、被接点部に対して接触する方の回動接点部材に対する回転部材の係合状態を最適化することが可能になるので、回動接点部材と被接点部との導電接触状態を確実かつ安定的に得ることが容易になる。
【００１５】
本発明において、前記一対の回動接点部材は、相互に同一形状のものであることが好ましい。一対の回動接点部材が同一形状のものであることにより、製造コストを低減することが可能になる。
【００１６】
本発明において、前記一対の回動接点部材は、相互に反転姿勢で設置されていることが好ましい。反転姿勢で設置されていることにより一対の回動接点部材を対称的に設置することができ、相互間の干渉を防止しつつコンパクトに配設することができる。特に、一対の回動接点部材が回転部材の回転に従って対称的に動作する場合（すなわち、一方が被接点部に接触するときに他方が被接点部から離反するように構成されている場合）には、一対の回動接点部材は、その形状とともに接点動作の方向や態様も相互に反転した状態となっているため、被接点部に対する開閉動作特性を一対の回動接点部材間にて相互に同様に設定することができる。
【００１７】
本発明において、前記回転部材は、前記係合部位に係合する複数の歯を回転方向に備えた歯車構造を有することが好ましい。回転部材が歯車構造を有し、その複数の歯が回動接点部材の係合部位に係合して回動接点部材を変形させ、接点作用を生じさせるように構成されていることにより、より確実に回動接点部材の接点部位に接点作用を起こさせるように構成できるとともに、回転部材の連続的な回転によって回動接点部材の接点部位が連続的に繰り返し開閉動作するように構成できる。
【００１８】
本発明において、前記係合部位は、前記回転部材の歯車構造の歯元部分にも係止され得るように構成されていることが好ましい。回動接点部材の係合部位が歯先部分によって変形されていない場合にも、或いは、回転部材が静止している状態でも、回転部材の歯元部分に係止されるため、時計に対して外部から衝撃が加わったときに回動接点部材が回転方向に移動したり振動したりすることがなくなるので、チャタリング等の接点の誤動作を防止することができる。特に、一対の回動接点部材を設けたときには、衝撃によって回動接点部材同士が接触することも防止できる。
【００１９】
本発明において、前記接点部位は、前記係合部位と前記固定部位との間に設けられていることが好ましい。接点部位が係合部位と固定部位との間に設けられていることにより、接点構造をよりコンパクトに構成できる。
【００２０】
本発明において、前記外部操作部材は回転可能且つ軸線方向に移動可能に構成されていることが好ましい。外部操作部材が回転可能且つ軸線方向に移動可能に構成されていることにより、複数の操作態様に応じた複数の切換動作を実施可能に構成することが可能になる。
【００２１】
本発明において、前記外部操作部材は前記回転部材に対して軸線方向に移動可能な状態で回転方向に係合していることが好ましい。これによって、外部操作部材を軸線方向に移動させても回転部材を常にその軸線方向の一定範囲内に保持することができるので、回転部材と回動接点部材との間の回転方向の係合状態を維持することができる。
【００２２】
本発明において、前記回転部材は支持体により軸線方向に保持されていることが好ましい。回転部材が支持体により軸線方向に保持されていることにより、回転部材と回動接点部材とが常に係合した状態に維持される。
【００２３】
本発明において、前記外部操作部材に係合する係合部位、該係合部位から離隔した位置にて固定された固定部位及び接点作用を果たす接点部位を備え、前記外部操作部材の軸線方向への動作によって該軸線方向に変形する軸動接点部材と、該軸動接点部材の前記接点部位が接触して接点作用を果たすように構成された軸動被接点部とを有することが好ましい。
【００２４】
本発明において、前記軸動接点部材が前記外部操作部材の軸線方向及び前記回動接点部材の延長方向を含む仮想平面にほぼ沿って延長するように配設されていることが好ましい。これにより、軸動接点部材、外部操作部材及び回動接点部材が共通の仮想平面にほぼ沿った状態に配設されることとなるので、時計本体を薄型化することが可能になる。
【００２５】
本発明において、前記軸動接点部材の前記接点部位の変位方向と平行に設置された回路基板を有し、該回路基板の端縁に前記軸動被接点部が形成されていることが好ましい。回路基板の端縁に軸動被接点部が形成されていることにより、外部操作部材が軸線方向に移動したとき、係合部位の移動により軸動接点部材が変形し、回路基板の端縁の軸動被接点部に接触するように構成することが可能になるので、接点部位を確実に軸動被接点部に接触させることができるとともに、軸動被接点部が回路基板の厚さ方向に接点面を有するので、回路基板の板面上に接点面を有する場合に較べて軸動接点部材における回路基板の板面方向の動作ストロークを小さくすることができることから、時計本体の平面寸法を低減することができる。
【００２６】
本発明の別の時計は、外部操作部材と、該外部操作部材に係合する係合部位、前記係合部位から離隔した位置に固定された固定部位及び接点作用を果たす接点部位を有する軸動接点部材と、該軸動接点部材の前記接点部位が接触して接点作用を果たすように構成された軸動被接点部とを有し、前記接点部位の変位方向と平行に設置された回路基板を有し、該回路基板の端縁に前記軸動被接点部が形成されていることを特徴とする。
【００２７】
本発明において、前記回路基板における相互に対向する一対の端縁部にそれぞれ前記軸動被接点部が設けられ、前記軸動接点部材は、該一対の前記軸動被接点部に対して共に接点作用を果たすように構成されていることが好ましい。これによれば、一つの軸動被接点部により２組の接点回路を構成することが可能になり、或いは、一つの軸動被接点部により３つの切換状態（すなわち一方の軸動被接点部に接触した状態、他方の軸動被接点部に接触した状態、及び、いずれの軸動被接点部にも接触していない状態）を設けることができる。
【００２８】
本発明において、前記軸動接点部材の前記係合部位は前記外部操作部材の先端に当接するように構成されていることが好ましい。軸動接点部材の係合部位が外部操作部材の先端に当接するように構成されていることにより、軸動接点部材と外部操作部材との間の係合構造を簡易に構成することができ、時計本体の厚さも低減できる。
【００２９】
本発明において、前記軸動接点部材は、前記係合部位及び前記接点部位よりも前記固定部位側において他部材により前記係合部位の変形方向の両側から規制されていることが好ましい。これによれば、軸動接点部材が固定部位側において係合部位の変形方向の両側から規制されていることにより、規制部位によって固定部位の近傍が上記変形方向に回動したり変形したりすることが防止されるので、固定部位の摩滅、当該摩滅による塵埃の発生、軸動接点部材の回路に対する固定側の電気的接触部位の摩滅、当該摩滅による塵埃の発生、接触不良等を防止することができる。また、軸動接点部材が固定部位で回動し、その固定姿勢が変化することによって軸動接点部材の接点動作特性が変化してしまうといった事態も防止することができる。
【００３０】
本発明において、前記軸動接点部材が前記他部材による規制部位よりも前記固定部位側において電気的接触部位を有することが好ましい。これによれば、電気的接触部位（固定側の電気的接触部位）の摩滅、塵埃の発生、接触不良等を防止できる。
【００３１】
本発明において、前記回転部材は弾性素材により構成されていることが好ましい。回転部材を弾性素材により構成することにより、回転部材が他部材に抵触しても他部材を傷付けたり回転部材自体が損傷を受けたりすることがなくなるので、時計本体をコンパクトに構成できる。
【００３２】
本発明において、情報を表示する表示体を有し、該表示体と平面的に重なる位置に前記回転部材が配置されていることが好ましい。表示体と平面的に重なる位置に回転部材を配置することにより、平面寸法を低減でき、コンパクトに構成できる。時計本体が平板状に構成されている場合には特に有効である。
【００３３】
前記表示体としては、指針と文字板とを含むもの、液晶パネルなどが挙げられる。
【００３４】
【発明の実施の形態】
次に、添付図面を参照して本発明に係る時計の実施形態について詳細に説明する。図９は本発明に係る時計（携帯時計）１００の全体構成の概略を模式的に示す概念図である。この携帯時計１００は、ムーブメント１１０と、このムーブメント１１０を収容する時計ケース１２０と、時計ケース１２０の側部に取り付けられ、ムーブメント１１０の内部に挿入された外部操作部材１３０と、時計ケース１２０の両端に取り付けられた時計バンド１４０とから概略構成される。時計ケース１２０には、図示手前側に表示窓１２０ａが形成されている。
【００３５】
外部操作部材１３０は、時計ケース１２０の側部に突出したリュウズ１３１と、このリュウズ１３１に螺合等によって取り付けられた軸状の巻真１３２とから構成される。そして、リュウズ１３１を回転させると巻真１３２もまた回転するように構成され、また、リュウズ１３１を巻真１３２とともに軸線方向の内外へ２段階に移動させることができるように構成されている。
【００３６】
［ムーブメント１００の構成］
図１は上記携帯時計１００のムーブメント１１０の平面形状を示す概略平面図であり、図２及び図３はムーブメント１１０の断面図である。このムーブメント１１０は、合成樹脂の成形品等からなるフレーム１１１と、このフレーム１１１の下側に取り付けられたプリント配線基板等からなる回路基板１１２と、回路基板１１２のさらに下側からフレーム１１１に対して取り付けられたステンレス鋼板等からなる押え板１１３とを備えている。
【００３７】
フレーム１１１は、指針及び文字板を含む表示体を備えた時計の場合には地板に相当し、液晶パネルを含む表示体を備えた時計の場合にはパネル枠に相当するものであり、いずれにしてもムーブメントの各構成要素を固定する支持体として機能するものである。このフレーム１１１には、底面から突出した位置決め突起１１１ａと、側面から突出した係合突起１１１ｂとが設けられている。また、フレーム１１１の平面形状には、孔状に開口する開口部１１１Ａ，１１１Ｂ，１１１Ｃが設けられている。
【００３８】
フレーム１１１には、３時方向の側部に設けられた開口縁部１１１ｃが設けられ、この開口縁部１１１ｃには巻真１３２が挿通されている。また、この開口縁部１１１ｃの傍らの外面には係合凸部１１１ｄ，１１１ｅが形成されている。
【００３９】
回路基板１１２は、時計動作やその他の機能を実現するための回路を構成する配線パターンや電極パターンを備え、半導体回路チップやその他の電子部品が実装されたものである。また、後述する接点バネが接触する基板側接点（被接点部）が設けられたものである。この回路基板１１２の平面形状においては、３時方向の側部から切り込まれた切り込み状の開口部１１２Ａが設けられている。この開口部１１２Ａは、フレーム１１１の上記開口部１１１Ｂ，１１１Ｃと一部平面的に重なる領域を備えている。
【００４０】
押え板１１３は、フレーム１１１の位置決め突起１１１ａを嵌入する貫通孔１３ａと、フレーム１１の側面突起１１ｂに係合するフック等からなる係合部１３ｂとを有し、上記位置決め突起１１ａに貫通孔１３ａを嵌合させることにより位置決めされた状態で、上記側面突起１１ｂに係合部１３ｂを係合させることによって係合固定される。
【００４１】
また、押え板１１３には、上側に向けて立ち上がり、上記開口縁部１１１ｃ内において下側から挿入された軸保持部１１３ｃが形成されている。軸保持部１１３ｃは、図２に示すように、巻真１３２を挿通する開口を有し、その弾性によって開口に挿通された巻真１３２を下方へ押し付けるように構成されている。この軸保持部１１３ｃは、側方へフック状に張り出したフック形状部を有し、このフック形状部はフレーム１１１に設けられた係合凸部１１１ｅに係合可能に構成されている。軸保持部１１３ｃは、開口縁部１１１ｃに設けられた縦溝内を図２の上下方向にスライド自在に構成され、そのスライド範囲の上限は上記縦溝の深さによって規制され、スライド範囲の加減はフック形状部と係合凸部１１１ｅとの係合によって規制される。
【００４２】
さらに、押え板１１３には、上記軸保持部１１３ｃに隣接して下方から上方に向けて立ち上がったフック状のフック係合部１１３ｄが設けられている。このフック係合部１１３ｄは、フレーム１１１の上記係合凸部１１１ｄに係合している。
【００４３】
フレーム１１１の上には、図２及び図３に示すように、液晶パネル１１８が取り付けられる。この液晶パネル１１８は、シール材を介してガラスやプラスチック等からなる一対の基板を貼り合わせ、基板間に液晶を封入してなる公知のパネル構造を有する。また、フレーム１１１の下に設置された上記回路基板１１２のさらに下方には、回路基板１１２と押え板１１３とによって弾性的に挟持された状態の電池１１９が配置されている。この電池１１９は回路基板１１２上に構成される時計回路や液晶駆動回路等に電力を供給するためのものである。なお、時計に発電手段（発電装置や太陽電池など）が設けられる場合には、電池１１９として二次電池（化学二次電池や大容量キャパシタなど）が用いられる。
【００４４】
図４は、図１に示すムーブメント１００のうち外部操作部材１３０の挿入された部位近傍を拡大して示す拡大平面図である。フレーム１１１には修正車を構成する歯車体１１７（上記回転部材に相当する。）が回転可能に保持されており、この歯車体１１７には角形の開口形状を有する軸孔１１７ｂが設けられ、この軸孔１１７ｂ内に、上記巻真１３２が挿通されている。この歯車体１１７は、液晶パネル１１８と平面的に重なる位置に配置されている。また、巻真１３２には、上記軸孔１１７ｂの開口形状に合致した角柱状の係合形状部１３２ａが設けられている。この係合形状部１３２ａは歯車体１１７の軸孔１１７ｂ内を挿通し、これによって巻真１３２と歯車体１１７とが回転方向には係合するが、軸線方向には相互に移動可能に構成されている。
【００４５】
図３に示すように、歯車体１１７はその周囲に複数の歯１１７ａを有し、これらの歯１１７ａは後述する回動接点バネ１１４，１１５に係合している。歯１１７ａは歯元から歯先にいくに従い回転方向の幅が小さくなるように、先鋭化されていることが好ましい。これによって回動接点バネ１１４，１１５が回動方向に大きく変形したときに歯１１７ａから係合部位１１４ｂ，１１５ｂがスムーズに離脱するようになる。
【００４６】
また、係合部位１１４ｂ，１１５ｂは、歯１１７ａの歯先部分だけでなく、歯元部分１１７ｃにも係合し、図３に示すような歯先部分に係合していない状態、或いは、歯車体１１７が静止している状態でも、係合部位１１４ｂ，１１５ｂが歯元部分１１７ｃに係止されるように構成されていることが好ましい。これによって、時計に対し外部から衝撃が加わったとき、回動接点バネ１１４，１１５が変形したり振動したりして、チャタリング等の誤動作を起こすことが防止される。また、係合部位１１４ｂと１１５ｂが相互に接触することもなくなる。
【００４７】
回動接点バネ１１４，１１５は相互に同一の形状を有していることが好ましく、相互に反転した姿勢で取り付けられている。ここで、回動接点バネ１１４は回路基板１１２の上側に配置され、回動接点バネ１１５は回路基板１１２の下側に配置されている。図３に示すように、回動接点バネ１１４は、回路基板１１２の上面に固定された固定部位１１４ａと、上記歯車体１１７の歯１１７ａに係合する係合部位１１４ｂと、固定部位１１４ａと係合部位１１４ｂとの間に形成され、回路基板１１２側に突出した接点部位１１４ｃとを備えている。また、回動接点バネ１１５は、回路基板１１２の下面に固定された固定部位１１５ａと、上記歯車体１１７の歯１１７ａに係合する係合部位１１５ｂと、固定部位１１５ａと係合部位１１５ｂの間に形成され、回路基板１１２側に突出した接点部位１１５ｃとを備えている。ここで、図示しないが、上記接点部位１１４ｂ，１１５ｂに接触可能に設けられた基板側接点（被接点部）が回路基板１１２の上面及び下面上にそれぞれ設けられている。
【００４８】
図４に示すように、回動接点バネ１１４と１１５とは、固定部位１１４ａ，１１５ａが回路基板１１２の表裏の対応する位置においてネジ等により相互に平面的に重なるように取り付けられ、固定部位１１４ａ，１１５ａから伸びて上記接点部位１１４ｃ，１１５ｃを有する部分は平面的に図示左右にずれた位置に配置され、さらに係合部位１１４ｂ，１１５ｂは平面的に相互に重なる位置に配置されるように構成されている。回動接点バネ１１４と１１５は相互に同一形状を有するものであるが、その姿勢が上下に反転するように設置されていることによって、上記のように接点部位１１４ｃ，１１５ｃが平面的に重ならない状態となっている。
【００４９】
一方、図４に示すように、回路基板１１２には軸動接点バネ１１６が取り付けられている。この軸動接点バネ１１６は、この軸動接点バネ１１６は、回路基板１１２の上面に固定された固定部位１１６ａと、上記巻真１３２の先端部１３２ｂに当接し得る係合部位１１６ｂと、図４の左側に突出するように形成された第１接点部位１１６ｃと、図４の右側に突出するように形成された第２接点部位１１６ｄと、固定部位１１６ａから回路基板１１２上に伸びた固定側接触部１１６ｅとを備えている。
【００５０】
軸動接点バネ１１６は、固定部位１１６ａからフレーム１１１の開口部１１１Ｂ，１１１Ｃ側及び回路基板１１２の開口部１１２Ａへと伸びる上記の係合部位１１６ｂ、第１接点部位１１６ｃ及び第２接点部位１１６ｄを含む接点バネ部分が、固定部位１１６ａから９０度折り曲げられ、その幅方向を垂直方向（図４の紙面と直交する方向）とし、その厚さ方向を水平方向（図４の紙面と平行な方向）とした状態となるように形成されている。また、上記接点バネ部分とは別に固定部位１１６ａから回路基板１１２上に伸びる固定側接触部１１６ｅは、回路基板１１２上に設けられた図示しない基板側端子に導電接触し、例えば接地電位（グランド）に接続される。
【００５１】
軸動接点バネ１１６の第１接点部位１１６ｃに対向する位置には、回路基板１１２における開口部１１２Ａに臨む第１被接点部１１２ａが形成され、また、第２接点部位１１６ｄに対向する位置には、回路基板１１２における開口部１１２Ａに臨む第２被接点部１１２ｂが形成されている。
【００５２】
軸動接点バネ１１６の固定部位１１６ａと係合部位１１６ｃとの間には、フレーム１１１における開口部１１１Ｂ内に舌状に突出する舌状部１１１ｆ，１１１ｇが相互に係合部位１１６ｃの変位方向両側から軸動接点バネ１１６を規制している。
【００５３】
［回動接点バネの動作］
図５及び図６は、上記一対の回動接点バネ１１４，１１５の動作状態を示すものである。図９に示すリュウズ１３１を時計本体に向かって時計周りに回転操作すると、巻真１３２もまた同じ時計周りに回転し、巻真１３２と係合する歯車体１１７もまた時計周りに回転するので、図５に示すように、歯車体１１７の歯１１７ａは回動接点バネ１１４，１１５の係合部位１１４ｂ，１１５ｂを図示下方へ向けて押し下げる。これによって、回動接点バネ１１４の接点部位１１４ｃは回路基板１１２上の図示しない基板側接点（被接点部）に接触し、回動接点バネ１１５の接点部位１１５ｃは回路基板１１２に対して離反したままの状態となる。
【００５４】
上記のようにして歯車体１１７が時計周りに連続して回転すると、或る一つの歯１１７ａが上記のように回動接点バネ１１４の接点部位１１４ｃを基板側接点（被接点部）に接触させ、やがて歯車体１１７が回動して上記の歯１１７ａが回動接点バネ１１４の係合部位１１４ｂから離反すると、一旦、回動接点バネ１１４は回路基板１１２から離反し、その後、次の歯１１７ａが係合部位１１４ｂに係合して再び接点部位１１４ｃが基板側端子部に接触するといった動作を繰り返すので、接点部位１１４ｃと基板側接点（被接点部）とが接触、非接触を繰り返すことになる。
【００５５】
一方、リュウズ１３１を時計本体に向かって反時計周りに回転させると、巻真１３２もまた同じ反時計周りに回転し、歯車体１１７を反時計周りに回転させる。これによって、図６に示すように、歯車体１１７の歯１１７ａは回動接点バネ１１４，１１５の係合部位１１４ｂ，１１５ｂを図示上方へ向けて押し上げる。これによって、回動接点バネ１１５の接点部位１１５ｃは回路基板１１２下面上の図示しない基板側接点（被接点部）に接触し、回動接点バネ１１４の接点部位１１４ｃは回路基板１１２に対して離反したままの状態となる。
【００５６】
上記のようにして歯車体１１７が反時計周りに連続して回転すると、或る一つの歯１１７ａが上記のように回動接点バネ１１５の接点部位１１５ｃを基板側端子に接触させ、やがて歯車体１１７が回動して上記の歯１１７ａが回動接点バネ１１５の係合部位１１５ｂから離反すると、一旦、回動接点バネ１１５は回路基板１１２から離反し、その後、次の歯１１７ａが係合部位１１５ｂに係合して再び接点部位１１５ｃが基板側接点（被接点部）に接触するといった動作を繰り返すので、接点部位１１５ｃと基板側接点（被接点部）とが接触、非接触を繰り返すことになる。
【００５７】
本実施形態では、回動接点バネ１１４，１１５が回路基板１１２の表裏両側に並列に配置され、その先端の係合部位１１４ｂ，１１５ｂが歯車体１１７の歯１１７ａに係合してそれぞれ変形し、接点部位１１４ｃ，１１５ｃが回路基板１１２表裏の基板側接点（被接点部）に接触したり離反したりするように構成されている。したがって、回動接点バネ１１４，１１５は歯車体１１７の回動半径よりも大きく変形することなく、確実に接点開閉動作を行うことができるため、ムーブメント１００の平面寸法をコンパクトに構成できる。また、一対の回動接点バネ１１４，１１５が相互に並行に設置されていることにより、複数の電気的接点動作を行うことが可能になるにも拘わらず、接点切換構造をコンパクトに構成できる。さらに、上記構造においては、リュウズ１３１を回転させていくだけで、複数連続した接点開閉操作を容易に行うことが可能であり、また、このような接点切換構造をきわめて簡素に構成できるので、製造コストを低減することもできる。
【００５８】
［軸動接点バネの動作］
図４に示す状態では、巻真１３２の先端部１３２ａが軸動接点バネ１１６の係合部位１１６ｂに当接しているが、第１接点部位１１６ｃと第２接点部位１１６ｄのいずれもが回路基板１１２から離反している。これに対して、図９に示すリュウズ１３１が人為的操作により押し込まれると、図７に示すように、巻真１３２の先端部１３２ａが軸動接点バネ１１６の係合部位１１６ｂを押し込み、軸動接点バネ１１６を変形させるので、第１接点部位１１６ｃは第１被接点部１１２ａに接触する。また、図９に示すリュウズ１３１が引き出されると、図８に示すように、巻真１３２の先端部１３２ａは係合部位１１６ｂから離反し、その結果、軸動接点バネ１１６の弾性により、その第２接点部位１１６ｄは第２被接点部１１２ｂに接触する。
【００５９】
本実施形態においては、軸動接点バネ１１６が巻真１３２によって回路基板１１２の板面方向に変形するように構成され、回路基板１１２の端縁に形成された第１被接点部１１２ａ及び第２被接点部１１２ｂに接触するように構成されていることにより、第１被接点部１１２ａ及び第２被接点部１１２ｂの接点面と軸動接点バネ１１６の動作方向とが相互に直交しているので、例えば、両被接点部が回路基板１１２の表面上に形成されている場合に較べると、電気的接触をより確実に得ることができるとともに、切換に必要な軸動接点バネ１１６の動作ストロークを小さくすることができるため、ムーブメントの平面寸法を低減できる。
【００６０】
また、軸動接点バネ１１６に対しては、固定部位１１６ａと係合部位１１６ｃとの間において舌状部１１１ｆ，１１１ｇが相互に係合部位１１６ｃの変位方向両側から軸動接点バネ１１６を規制しているので、軸動接点バネ１１６が上述のように巻真１３２の先端部１３２ａによって変形されても、その変形による影響は上記舌状部１１１ｆ，１１１ｇよりも固定部位１１６ａ側にはほとんど伝わらない。したがって、固定部位１１６ａが回動することによる摩滅及びこの摩滅に伴う粉塵の発生を防止することができるとともに、軸動接点バネ１１６の回動による接点動作不良を防止できる。また、固定部位１１６ａからは固定側接触部１１６ｅが伸びて回路基板１１２上の図示しない基板側端子部に接触しているが、この接触部位の摺動による摩滅、この摩滅に伴う粉塵の発生及び接触不良をも防止することができる。
【００６１】
さらに、本実施形態では、巻真１３２に対して回転方向に係合する歯車体１１７が液晶パネル１１８と平面的に重なる位置に配置されているので、液晶パネル１１８の表示画面を大きく確保しつつ、時計本体の平面サイズを低減することができる。特に、歯車体１１７を合成ゴムや軟質プラスチック等の弾性素材によって構成することにより、フレーム１１１や液晶パネル１１８等の他部材に対して接触しても損傷を受けたり損傷を与えたりすることがなくなるので、部品の余裕を確保する必要性を低減することができ、時計本体のさらなる薄型化を図ることができる。
【００６２】
尚、本発明の時計は、上述の図示例にのみ限定されるものではなく、本発明の要旨を逸脱しない範囲内において種々変更を加え得ることは勿論である。例えば、上記実施形態は表示体として液晶パネル１１８を用いたものとなっているが、表示体としては指針と文字板からなるものであってもよいし、両者を組み合わせたハイブリッド式のものであってもよい。
【００６３】
また、上記実施形態では、外部操作部材としてリュウズ１３１と巻真１３２とからなるものを用いたが、外部操作部材はこのような構造に限定されるものではない。
【００６４】
さらに、上記実施形態では、外部操作部材としての巻真１３２と回転部材としての歯車体１１７とが別体に構成されているが、例えば、回転部材が外部操作部材の一部として形成されていても構わない。
【００６５】
【発明の効果】
以上、説明したように本発明によれば、外部操作部材により電気的接点を切換可能な構造を有する時計の平面寸法や厚さを低減し、時計をコンパクトに構成することができる。また、簡易な構造で切換構造を実現することができるので、時計の小形化と製造コストの低減とを両立できる。
【図面の簡単な説明】
【図１】本発明に係る時計の実施形態におけるムーブメントの概略平面図である。
【図２】図１のII−II線に沿って切断した状態を示すムーブメントの断面図である。
【図３】図１のIII−III線に沿って切断した状態を示すムーブメントの断面図である。
【図４】ムーブメントの一部を拡大して示す拡大平面図である。
【図５】回動接点バネの動作状態を示す断面図である。
【図６】回動接点バネの別の動作状態を示す断面図である。
【図７】軸動接点バネの動作状態を示す拡大平面図である。
【図８】軸動接点バネの別の動作状態を示す拡大平面図である。
【図９】実施形態の時計の全体構成を示す概略構成図である。
【符号の説明】
１００  携帯時計
１１０  ムーブメント
１１１  フレーム
１１２  回路基板
１１３  押え板
１１４，１１５  回動接点バネ
１１６  軸動接点バネ
１１７  歯車体
１１８  液晶パネル
１１９  電池
１２０  時計ケース
１３０  外部操作部材
１３１  リュウズ
１３２  巻真
１４０  時計バンド
【図１】
0003692957.tif 000002
【図２】
0003692957.tif 000003
【図３】
0003692957.tif 000004
【図４】
0003692957.tif 000005
【図５】
0003692957.tif 000006
【図６】
0003692957.tif 000007
【図７】
0003692957.tif 000008
【図８】
0003692957.tif 000009
【図９】
0003692957.tif 000010